(57)【要約】      （修正有）【課題】混合器やフィルターを使用しなくても、アナログ放送と地上デジタル放送を最適な状態で受信できるブースターを提供する。【解決手段】ブースターにアナログ放送用ＵＨＦ入力端子，ＵＨＦ地上デジタル放送用ＵＨＦ入力端子，アナログ放送用ＵＨＦ信号と地上デジタル放送用ＵＨＦ信号を混合する周波数混合手段を設け，混合された信号を増幅して適正なレベルで出力する。【選択図】図１
0003125859.tif 000002
【実用新案登録請求の範囲】
【請求項１】
増幅回路の入力側に、少なくとも２つの異なるＵＨＦの周波数帯域を入力する入力端子と，該入力端子に入力された信号を混合するための混合手段と，混合手段で混合された信号を増幅する増幅回路を設けたことを特徴とするブースター。
【請求項２】
前記入力端子と，前記混合手段の間に入力レベル調整手段を設けたことを特徴とする請求項１に記載のブースター。
【請求項３】
前記入力端子のＵＨＦ周波数帯域の1つは，地上デジタル放送の周波数帯域であることを特徴とする請求項１又は請求項２に記載のブースター。
【請求項４】
前記混合手段は，地上デジタル放送の周波数帯域の入力端子には地上デジタル放送の周波数帯域を通過させるバンドパスフィルターが接続され，地上デジタル放送の周波数帯域の入力端子以外の端子には地上デジタル放送の周波数帯域を阻止するフィルターが接続されていることを特徴とする請求項３に記載のブースター。
【請求項５】
前記ブースターは，ＶＨＦ入力端子を備え，ブースター内部で，入力された全ての信号を増幅し，１つの出力端子から出力させる混合手段を設けたことを特徴とする請求項１乃至請求項４の何れかに記載のブースター。
【請求項６】
前記ブースターは，ＢＳ・ＣＳ−ＩＦ入力端子を備え，ブースター内部で，入力された全ての信号を増幅し，１つの出力端子から出力させる混合手段を設けたことを特徴とする請求項１乃至請求項５の何れかに記載のブースター。
【請求項７】
ＦＭ・ＶＨＦ入力端子，ＵＨＦ入力端子，ＵＨＦ地上デジタル入力端子，ＢＳ・ＣＳ−ＩＦ入力端子と出力端子とを備えた請求項１乃至請求項６の何れかに記載のブースター。
【考案の詳細な説明】
【技術分野】
【０００１】
本考案は，テレビジョン放送の信号を増幅するブースターに関し，特に地上デジタル放送信号を増幅できるブースターに関し，詳しくはそのブースターの回路構成に関する。
【背景技術】
【０００２】
地上デジタル放送が開始されているが，現状ではすべての地域で地上デジタル放送を受信できるわけではない。将来に備えて，アンテナやブースターなどを設置する場合，現在放送されているＵＨＦのアナログ放送とこれから受信する地上デジタル放送の両方を受信できるブースターが必要となる。
従来のブースターには，ＵＨＦ帯域の入力端子が１つしか無かったので，ＵＨＦのアナログ放送を受信するアンテナの出力と，地上デジタル放送を受信するアンテナの出力とを１つにまとめる必要があった。
（例えば，特許文献１参照）
【０００３】
【特許文献１】特開２００５−２０１３５号公報
【考案の開示】
【考案が解決しようとする課題】
【０００４】
従来のブースター１０４を使用して，ＵＨＦのアナログ放送と地上デジタル放送の両方を受信する場合，ＵＨＦ帯域の入力端子が１つであったため，図５に示す，第１のＵＨＦアンテナ（ＵＨＦのアナログ放送受信用）と第２のＵＨＦアンテナ（地上デジタル放送受信用）の信号を混合して受信した例１０１のように，
第１のＵＨＦアンテナ５の出力と第２のＵＨＦアンテナ６の出力を１つに混合するための混合器１０３やフィルター１０２が必要になる。また，上記のアンテナやブースターは１本の支柱２に取り付けられているのでアンテナサイトがすっきりしないといった問題が発生する。さらに，これらの機器を設置する工事が複雑になるといった問題が発生し，それに伴い，配線ミスを誘発したり，レベル調整も容易ではない，といった問題が発生する。
そこで本願においては，こうした問題点を解決するためになされたものであり，
その目的は，混合器１０３やフィルター１０２を各個に使用しなくても従来の放送と地上デジタル放送を受信することを可能とするブースターを提供することを課題とする。
他の目的は，従来のアナログ放送のレベルを容易に調整でき，従来のアナログ放送と地上デジタル放送が最適な状態で受信できるブースターを提供することを課題とする。
他の目的は，設置工事が簡単に短時間でできるブースターを提供することを課題とする。
【課題を解決するための手段】
【０００５】
上記課題を解決するために，請求項１の考案は
増幅回路の入力側に、少なくとも２つの異なるＵＨＦ周波数帯域を入力する入力端子と，該入力端子に入力された信号を混合するための混合手段と，混合手段で混合された信号を増幅する増幅回路で構成される。
【０００６】
請求項２の考案は，
増幅回路の入力側に、少なくとも２つの異なるＵＨＦ周波数帯域を入力する入力端子と，該入力端子に入力された信号を混合するための混合手段と，混合手段で混合された信号を増幅する増幅回路と、前記入力端子と，前記混合手段の間に設けた入力レベル調整手段とで構成される。
る。
【０００７】
請求項３の考案は，
請求項１又は請求項２に記載のブースターにおいて、前記入力端子のＵＨＦ周波数帯域の1つは，地上デジタル放送のＵＨＦ周波数帯域であるように構成される。
【０００８】
請求項４の考案は，
請求項３に記載のブースターにおいて、前記混合手段は，地上デジタル放送の周波数帯域の入力端子には地上デジタル放送のＵＨＦ周波数帯域を通過させるバンドパスフィルターが接続され，地上デジタル放送の周波数帯域の入力端子以外の端子には地上デジタル放送の周波数帯域を阻止するフィルターが接続されるように構成される。
【０００９】
請求項５の考案は，
請求項１乃至請求項４の何れかに記載のブースターにおいて、ＶＨＦ入力端子を備え，ブースター内部で，入力された全ての信号を増幅し，１つの出力端子から出力させる混合手段を設けるように構成される。
【００１０】
請求項６の考案は，
請求項１乃至請求項５の何れかに記載のブースターにおいて、ＢＳ・ＣＳ−ＩＦ入力端子を備え，ブースター内部で，入力された全ての信号を増幅し，１つの出力端子から出力させる混合手段を設けるように構成される。
【考案の効果】
【００１１】
請求項１の考案によれば，  増幅回路の入力側に、少なくとも２つの異なるＵＨＦ周波数帯域を入力する入力端子と，該入力端子に入力された信号を混合するための混合手段と，混合手段で混合された信号を増幅する増幅回路を設けたので、
アンテナとブースターの間に、アンテナ出力を１つに混合するための混合器やフィルターなどを使用しなくても容易にブースターに信号を入力することができる。
【００１２】
請求項２の考案によれば，請求項１に記載のブースターにおいて、前記入力端子と，前記混合手段の間に入力レベル調整手段を設けたので、それぞれの入力端子に入力される信号レベルに応じて最適な状態で受信できる。
地上デジタル放送の入力レベルと，従来のアナログ放送のレベルを容易に調整でき，最適な状態で受信できる
【００１３】
請求項３の考案によれば，請求項１又は請求項２に記載のブースターにおいて、前記入力端子の周波数帯域の1つは，地上デジタル放送の周波数帯域であるようにしたので、
現在放送されているＵＨＦのアナログ放送とこれから受信する地上デジタル放送の両方を受信できる。
【００１４】
請求項４の考案によれば，請求項３に記載のブースターにおいて、前記混合手段は，地上デジタル放送の周波数帯域の入力端子には地上デジタル放送の周波数帯域を通過させるバンドパスフィルターが接続され，地上デジタル放送の周波数帯域の入力端子以外の端子には地上デジタル放送の周波数帯域を阻止するフィルターが接続されているので、それぞれの入力端子に入力された信号が他の入力端子入力された信号に妨害を与えたり干渉することなく安定に増幅することができる。
【００１５】
請求項５の考案によれば、請求項１乃至請求項４の何れかに記載のブースターにおいて，ＶＨＦ入力端子を備え，ブースター内部で，入力された全ての信号を増幅し，１つの出力端子から出力させる混合手段を設けたので、
ＶＨＦ放送の信号，ＵＨＦアナログ放送の信号，ＵＨＦ地上デジタル放送の信号を１つのブースターで増幅することができる。
【００１６】
請求項６，７の考案によれば，請求項１乃至請求項６の何れかに記載のブースターにおいて，ＢＳ・ＣＳ−ＩＦ入力端子を備え，ブースター内部で，入力された全ての信号を増幅し，１つの出力端子から出力させる混合手段を設けたので、
ＶＨＦ放送の信号，ＵＨＦアナログ放送の信号，ＢＳ・ＣＳ放送の信号と，地上デジタル放送の信号を１つのブースターで増幅することができる。 
【考案を実施するための最良の形態】
【００１７】
以下に，本考案を具体化した実施形態の例を，図面を基に詳細に説明する。
図１は本考案に係るブースターの構成図を示し，図２は周波数混合に使用されるフィルターの特性の説明図，図３は，本考案に係るブースターのケースの蓋を開いた状態でパネル面における操作部分及び端子を表す。図４は本考案に係るブースターを使用して設置した例，図５は従来のブースターを使用して設置した例を示している。
なお， 
【実施例１】
【００１８】
本考案の第１の実施形態として図４を参照して説明する。尚，以下の説明では，上記第１の実施形態と同様の構成要素については同一符号を付与し，詳細な説明は省略する。また，帯域消去はＢ．Ｅ．Ｆ．，帯域通過フィルターはＢ．Ｐ．Ｆ．，低域通過フィルターはＬ．Ｐ．Ｆ．，広域通過フィルターはＨ．Ｐ．Ｆ．と称する。
図４は本考案に係る受信増幅用ブースター９を設置した受信装置１の例を示す。ブースター９の近くにはＶＨＦアンテナ（ＦＭ帯域を含んでも良い）３，第１のＵＨＦアンテナ（アナログ放送受信用）５，第２のＵＨＦアンテナ（地上デジタル放送受信用）６，衛星放送用アンテナ（ＢＳ・ＣＳアンテナ）７が設置され，それぞれのアンテナからの信号は同軸ケーブル等の給電線４により直接ブースター９に接続されている。そして，ブースターの出力は同軸ケーブル等の給電線４で図示しないテレビやチューナーなどの受信装置に伝送される。なお，ブースター９とテレビやチューナーなどの受信装置との間には図示しない電源供給器が接続され，ブースター９やブースター９に接続した衛星放送用アンテナ（ＢＳ・ＣＳアンテナ）７に備えられたコンバーター８へ低電圧電源として例えばＤＣ１５Ｖの電源を供給している。上記のアンテナやブースターは１本の支柱２の取り付けられているが各アンテナから直接ブースター９に給電線４で接続されているのですっきりとした設置されている。
【００１９】
次に図３を用いて本考案に係るブースター１０４の入力端子１３〜１６，出力端子１７，入力切り換え，レベル調整などについて説明をする。
ブースター９の増幅回路などを治めたシールドケース１２は，開閉自在の受信増幅用ブースターのケースの蓋１１を備えた受信増幅用ブースターのケース１０に収容されている。
ケースの下側には入力端子１３〜１６，出力端子１７,が配置されている。左から順に第１の入力端子（ＶＨＦ放送信号が入力される）１３, 第２の入力端子（従来のアナログ放送信号が入力される）１４，第３の入力端子（地上デジタル放送信号が入力される）１５，第４の入力端子（衛星放送ＩＦ信号が入力される）１６，出力端子（増幅された信号が出力されるとともにＤＣ１５Ｖが供給される）１７の順に配置されている。これらの端子はＦ型の接栓座でシールドケース１２に取り付けられている。
【００２０】
シールドケース１２の左側にはＶＨＦの入力回路に設けたＦＭトラップ回路を入又は切にするスイッチ１９，第１の入力端子から入った信号（ＶＨＦの信号）と第２の入力端子から入った信号（ＵＨＦアナログ信号）とを混合又は独立にするスイッチ１８が設けられている。
これらのスイッチの右側には，
第１の入力レベル調整スイッチ２０，第２の入力レベル調整スイッチ２２，第３の入力レベル調整スイッチ２４，第４の入力レベル調整スイッチ２６，第５の入力レベル調整スイッチ２７が配置され，入力端子に入力されたレベルを調整できるようになっている。これらの減衰量は０ｄＢと−１０ｄＢの２段階であるがこれに限らず，減衰量を０ｄＢ，−５ｄＢ，−１０ｄＢとか，０ｄＢ，−１０ｄＢ，−１５ｄＢとしても良い。
また，第１の利得調整ボリウム２１，第２の利得調整ボリウム２３，第３の利得調整ボリウム２５，第４の利得調整ボリウム２８により，それぞれの帯域の増幅回路の利得を調整できる。これらのボリウムによる減衰量は，０〜−１０ｄＢ可変できるようにしてある。また，これに限らず，０〜−１５ｄＢ，０〜−２０ｄＢ可変できるようにしても良い。これらの調整手段を適宜操作して，最適の状態にレベルを調整することができる。
シールドケース１２の右上には，出力端子１７に，ブースター９の電源である低電圧電源の供給の有無を表示するための表示手段としてランプ（通電表示ＬＥＤ）２９を設けている。なお，この表示手段は第４の入力端子（衛星放送ＩＦ信号が入力される）１６に対する電源供給の有無の表示を兼ねている。
【００２１】
図１に本考案に係るブースターの構成図を示す。
シールドケース１２には
第１の入力端子（ＶＨＦ放送信号が入力される）１３, 第２の入力端子（従来のアナログ放送信号が入力される）１４，第３の入力端子（地上デジタル放送信号が入力される）１５，第４の入力端子（衛星放送ＩＦ信号が入力される）１６の４つの入力端子と，１つの出力端子（増幅された信号が出力されるとともにＤＣ１５Ｖが供給される）１７を備えている。
【００２２】
最初にＵＨＦの周波数帯域の回路について説明する。
第２の入力端子（従来のアナログ放送信号が入力される）１４に入力された信号は，Ｂ．Ｐ．Ｆ．３９を介して携帯電話通信用信号を阻止するためのＢ．Ｅ．Ｆ．４０に伝送される。携帯電話通信用信号を阻止するための他の方法としてはトラップ回路を設け，それをパネルに設けたスイッチで入り切りさせても良い。
また，第３の入力端子（地上デジタル放送信号が入力される）１５に入力された信号は，第４の入力レベル調整スイッチ２６を介してＵＨＦのｃｈ１９〜ｃｈ２１を通過させるＢ．Ｐ．Ｆ．４３に伝送される。
これらの２つの信号はＵＨＦのｃｈ１９〜ｃｈ２１を通過させるＢ．Ｐ．Ｆ．４３，Ｂ．Ｐ．Ｆ．３９，携帯電話通信用信号を阻止するためのＢ．Ｅ．Ｆ．４０とで構成された混合回路により，混合される。そして，第３の入力レベル調整スイッチ２４，ＵＨＦのｃｈ１３〜ｃｈ６２を増幅する増幅器４１，第３の利得調整ボリウム２５，ＵＨＦのｃｈ１３〜ｃｈ６２を増幅する増幅器４２を介して，ＶＨＦのｃｈ４〜ｃｈ１２（ＦＭを含む）を通過するＬ．Ｐ．Ｆ．４４とＵＨＦのｃｈ１３〜ｃｈ６２を通過させるＨ．Ｐ．Ｆ．４５とで構成される混合器５６に伝送される。
【００２３】
ここで，Ｂ．Ｐ．Ｆ．３９，携帯電話通信用信号を阻止するためのＢ．Ｅ．Ｆ．４０，ＵＨＦのｃｈ１９〜ｃｈ２１を通過させるＢ．Ｐ．Ｆ．４３で構成される混合器について説明する。
Ｂ．Ｐ．Ｆ．３９と携帯電話通信用信号を阻止するためのＢ．Ｅ．Ｆ．４０によりＢ．Ｅ．Ｆ．を構成している。
大阪地域で地上デジタル放送を受信する場合の例を示す。
Ｂ．Ｐ．Ｆ．３９は全てのＵＨＦテレビ放送チャンネルを通過させるもので通過帯域は４７０ＭＨｚから８１０ＭＨｚである。この周波数特性を図２[Ａ]に示す。なお，Ｂ．Ｐ．Ｆ．３９の通過帯域の上限は７７０ＭＨｚでも良いし，通過帯域の下限を４７０ＭＨｚとするＨ．Ｐ．Ｆ．でも良いが，８１０ＭＨｚより高い周波数が携帯電話の通信に使用されているため，この妨害を避けるため通過帯域４７０ＭＨｚから８１０ＭＨｚのＢ．Ｐ．Ｆ．とした。
また，携帯電話通信用信号を阻止するためのＢ．Ｅ．Ｆ．４０の周波数特性は図２[Ｂ]に示すように阻止帯域は５０６ＭＨｚ〜５２４ＭＨｚである。
また，Ｂ．Ｐ．Ｆ．４３の周波数特性は図２の[Ｃ]に示すように通過帯域は５０６ＭＨｚから５２４ＭＨｚである。
このような混合器により，アナログ放送用ＵＨＦ入力端子，地上デジタル放送用ＵＨＦ入力端子それぞれに入力された信号は干渉されることなく混合される。
【００２４】
なお，第２の入力端子（従来のアナログ放送信号が入力される）１４側に設けたＢ．Ｐ．Ｆ．３９とＢ．Ｅ．Ｆ．４０の代わりに，Ｂ．Ｐ．Ｆ．３９を通過帯域の下限を５２４ＭＨｚとするＨ．Ｐ．Ｆ．に置き換え，Ｂ．Ｅ．Ｆ．４０を通過帯域の上限を５０６ＭＨｚとするＬ．Ｐ．Ｆ．に置き換えても良い。
地上デジタル放送のチャンネルは多く地域でＵＨＦ帯域の下方に集まっており，それぞれの地域に合わせておけば最適の受信が可能となる。
【００２５】
次に，第１の入力端子（ＶＨＦ放送信号が入力される）１３に入力された信号は，ＶＨＦのｃｈ１〜ｃｈ３（ＦＭ放送信号を含んでも良い）を通過させるフィルターＬ．Ｐ．Ｆ．（ローパスフィルター）又はＢ．Ｐ．Ｆ．（バンドパスフィルター）３１とＶＨＦのｃｈ４〜ｃｈ１２を通過させるフィルター（Ｈ．Ｐ．Ｆ．又はＢ．Ｐ．Ｆ．）３５とで構成される分波器５３に伝送される。分波器５３のＶＨＦのｃｈ１〜ｃｈ３（ＦＭ放送信号を含んでも良い）を通過させるフィルターＬ．Ｐ．Ｆ．（ローパスフィルター）又はＢ．Ｐ．Ｆ．（バンドパスフィルター）３１側からの信号は，フィルター回路を入又は切にするスイッチ１９とＦＭ放送信号抑圧用のフィルター３２で構成されるトラップ回路，第１の入力レベル調整スイッチ２０，第１の利得調整ボリウム２１，７６から１０８ＭＨｚを増幅する増幅回路３３を介して，ＶＨＦのｃｈ１〜ｃｈ３（ＦＭ放送信号を含んでも良い）を通過させるフィルター（Ｌ．Ｐ．Ｆ．又はＢ．Ｐ．Ｆ．）３４とＶＨＦのｃｈ４〜ｃｈ１２を通過させるＨ．Ｐ．Ｆ．又はＢ．Ｐ．Ｆ．３８とで構成される
混合器５４へ伝送される。
【００２６】
また，分波器５３のＶＨＦのｃｈ４〜ｃｈ１２を通過させるフィルター（Ｈ．Ｐ．Ｆ．又はＢ．Ｐ．Ｆ．）３５側からの信号は，ＶＨＦのｃｈ４〜ｃｈ１２の入力レベルを調整するＡＴＴ３６，第２の利得調整ボリウム２３，ＶＨＦのｃｈ４〜ｃｈ１２を増幅する増幅器３７を介して混合器５４へ伝送される。
そして，混合器５４の出力信号は，混合器５６でＵＨＦのｃｈ１３〜ｃｈ６２を増幅する増幅器４２の出力信号と混合される。
第４の入力端子（衛星放送ＩＦ信号が入力される）１６に入力された信号は，１０３２〜２６５５ＭＨｚを通過させるＨ．Ｐ．Ｆ．又はＢ．Ｐ．Ｆ．４７，第５の入力レベル調整スイッチ２７，増幅器（１０３２〜２６５５ＭＨｚを増幅する）４８，第４の利得調整ボリウム２８，増幅器（１０３２〜２６５５ＭＨｚを増幅する）４９を介して，Ｌ．Ｐ．Ｆ．（ＵＨＦのｃｈ１３〜ｃｈ６２を通過させるＬ．Ｐ．Ｆ．）５０，１０３２〜２６５５ＭＨｚを通過させるＬ．Ｐ．Ｆ．５１とで構成される混合器５２に伝送される。
そして，混合器５２では，混合器５６の出力信号と混合されたものが出力端子１７へ伝送される。
【００２７】
出力端子１７と第４の入力端子（衛星放送ＩＦ信号が入力される）１６との間には，ローパスフィルター４６が接続され，出力端子１７に供給された電源ＤＣ１５Ｖを第４の入力端子に１６に供給するとともに，この電源によりランプ２６を点灯させる。
なお，図１には示されていないが，出力端子１７から供給されたＤＣ１５の電源は，必要に応じて適当な電圧に変換して電源が必要な回路へ供給される。
【００２８】
なお、第４の入力レベル調整スイッチは適宜設けられる。
従来のUHF放送（アナログ放送）と新設のUHF放送（地上デジタル放送）の周波数帯域がオーバーラップしている場合には、Ｂ．Ｐ．Ｆ．４３とＢ．Ｅ．Ｆ．４０との周波数特性もオーバーラップすることになるが、相互にフィルターがあるので影響を軽減できる。しかし、それでも影響が出る場合は、入力のレベル調整スイッチで調整したりして影響をなくす事ができる。
また，ＢＳ・ＣＳ−ＩＦの周波数帯域は１０３２〜２６０２ＭＨｚとするが，周波数帯域の上限は２６１０ＭＨｚ，又は２６５５ＭＨｚであっても良い。
【００２９】
尚，本考案は上記実施の形態に限定されるものではなく，以下に例示するように，本考案の趣旨を逸脱しない範囲で各フィルターの通過帯域，阻止帯域，各増幅回路の構成を適宜に変更して実施することも可能である。
【図面の簡単な説明】
【００３０】
【図１】本考案に係るブースターの構成図を示す。
【図２】周波数混合回路に使用されるフィルターの特性の説明図を示す。
【図３】本考案に係るブースターの操作パネル及び端子の説明図を示す。
【図４】本考案に係るブースターを使用して設置した例を示す。
【図５】従来のブースターを使用して設置した例を示す。
【符号の説明】
【００３１】
１…受信装置，２…ポール（支柱），３…ＶＨＦアンテナ（ＦＭ帯域を含んでも可），４…給電線，５…第１のＵＨＦアンテナ（従来のアナログ放送受信用），６…第２のＵＨＦアンテナ（地上デジタル放送受信用），７…衛星放送受信用アンテナ，８…コンバーター，９…受信増幅用ブースター，１０…受信増幅用ブースターのケース，１１…受信増幅用ブースターの蓋，
１２…シールドケースでの接栓座１３から接栓座１６が取り付けられている，１３…第１の入力端子は接栓座でＦ型となっておりＶＨＦ放送（信号）が入力される，１４…第２の入力端子は接栓座でＦ型となっており従来のアナログ放送（信号）が入力される，１５…第３の入力端子は接栓座でＦ型となっており地上デジタル放送（信号）が入力される，１６…第４の入力端子は接栓座でＦ型となっており衛星放送ＩＦ（信号）が入力される，１７…出力端子で端子は接栓座でＦ型となっており増幅された信号が出力されるとともにＤＣ１５Ｖが供給される，１８…第１の入力端子から入った信号と第２の入力端子から入った信号とを混合又は独立にするスイッチ，１９…トラップ回路を入又は切にするスイッチ，２０…第１の入力レベル調整スイッチ，２１…第１の利得調整ボリウム，２２…第２の入力レベル調整スイッチ，２３…第２の利得調整ボリウム，２４…第３の入力レベル調整スイッチ，２５…第３の利得調整ボリウム，２６…第４の入力レベル調整スイッチ，２７…第５の入力レベル調整スイッチ，２８…第４の利得調整ボリウム，２９…ランプ（通電表示ＬＥＤ），３０…ＶＨＦ・ＵＨＦ混合用フィルター，３１…ＶＨＦのｃｈ１〜ｃｈ３（ＦＭ放送信号を含んでも良い）を通過させるフィルターＬ．Ｐ．Ｆ．（ローパスフィルター）又はＢ．Ｐ．Ｆ．（バンドパスフィルター），３２…ＦＭ放送信号抑圧用のフィルターでＦＭ放送波を抑圧するためのトラップ，３３…７６から１０８ＭＨｚを増幅する増幅回路（例えば２０ｄＢ），３４…ＶＨＦのｃｈ１〜ｃｈ３（ＦＭ放送信号を含んでも良い）を通過させるフィルター（Ｌ．Ｐ．Ｆ．又はＢ．Ｐ．Ｆ．），３５…ＶＨＦのｃｈ４〜ｃｈ１２を通過させるフィルター（Ｈ．Ｐ．Ｆ．又はＢ．Ｐ．Ｆ．），３６…ＶＨＦのｃｈ４〜ｃｈ１２の入力レベルを調整するＡＴＴ，３７…ＶＨＦのｃｈ４〜ｃｈ１２を増幅する増幅器（利得３０ｄＢ），３８…ＶＨＦのｃｈ４〜ｃｈ１２を通過させるＨ．Ｐ．Ｆ．又はＢ．Ｐ．Ｆ．，３９…Ｂ．Ｐ．Ｆ．，４０…携帯電話通信用信号を阻止するためのＢ．Ｅ．Ｆ．，
４１…ＵＨＦのｃｈ１３〜ｃｈ６２を増幅する増幅器，４２…ＵＨＦのｃｈ１３〜ｃｈ６２を増幅する増幅器，４３…ＵＨＦのｃｈ１３〜ｃｈ２８を通過させるＢ．Ｐ．Ｆ．，４４…ＶＨＦのｃｈ４〜ｃｈ１２（ＦＭを含む）を通過するＬ．Ｐ．Ｆ．，４５…ＵＨＦのｃｈ１３〜ｃｈ６２を通過させるＨ．Ｐ．Ｆ．，４６…低電圧（ＤＣ１５Ｖ又はＡＣ３０Ｖを通過させるローパスフィルター，４７…１０３２〜２６５５ＭＨｚを通過させるＨ．Ｐ．Ｆ．又はＢ．Ｐ．Ｆ．，４８…増幅器（１０３２〜２６５５ＭＨｚを増幅する），４９…増幅器（１０３２〜２６５５ＭＨｚを増幅する），５０…Ｌ．Ｐ．Ｆ．（ＵＨＦのｃｈ１３〜ｃｈ６２を通過させるＬ．Ｐ．Ｆ．），５１…１０３２〜２６５５ＭＨｚを通過させるＬ．Ｐ．Ｆ．，１０１…第１のＵＨＦアンテナと第２のＵＨＦアンテナの信号を混合して受信した例，１０２…第１のＵＨＦ放送信号を通過させるＢ．Ｐ．Ｆ．，１０３…混合器，１０４…ブースター，５２…混合器，５３…分波器，５４…混合器，５５…分波器，５６…混合器
【図１】
0003125859.tif 000003
【図２】
0003125859.tif 000004
【図３】
0003125859.tif 000005
【図４】
0003125859.tif 000006
【図５】
0003125859.tif 000007